(57)【要約】【課題】フロアマット固定構造において、カーペット上に敷設される複数層のフロアマットを強固に固定しつつ、フロアマットの脱着を容易にする。【解決手段】カーペット１の回転ノブ式クリップ４の回転ノブ３１と、長孔４７が形成された底部４２と内筒部４１とを備え、フロアマット２，３に装着されるグロメット５，６と、内筒部４１に嵌合可能な取付部７１と、回転ノブ８１とを有するアタッチメント７と、を備えている。内筒部４１の内周面には縦溝と横溝４６とが設けられる一方、取付部７１には、外周面に突起７７が突設され、下端部に内空部７４が設けられている。回転ノブ３１，８１は、長孔４７に挿通された状態で回転させることで長孔４７の縁部に係止する。突起７７が縦溝に挿入され且つ回転ノブ３１が内空部７４に嵌った状態で、アタッチメント７を回転させることで、突起７７が横溝４６に挿入され且つ回転ノブ３１が回転する。【選択図】図１４
2019026230.tif 000002
【特許請求の範囲】
【請求項１】
車両床面を構成するカーペット上に敷設される複数層のフロアマットを固定するフロアマット固定構造であって、
上記カーペットに固定された固定具に対し鉛直軸周りに回転可能に設けられたノブと、
長孔が底部に形成された有底円筒部を有し、上記各フロアマットに形成された貫通孔に当該有底円筒部が嵌るように、当該各フロアマットに装着されるグロメットと、
上記有底円筒部の内側に嵌合可能な断面円形の外周面を有する取付部と、当該取付部の上部に鉛直軸周りに相対回転可能に設けられた、上記ノブと同形状のノブと、を有するアタッチメントと、を備え、
上記有底円筒部の内周面には、軸方向に延びる縦溝と、当該縦溝の下端部から周方向に延びる横溝と、が設けられる一方、上記取付部の外周面には、これら縦溝および横溝に挿入可能な突起が径方向に突設されるとともに、当該取付部の下端部には、上記ノブが嵌合可能な凹部が設けられており、
上記ノブは、その長手方向と上記長孔の長手方向との交差角度が所定角度未満のときに上記長孔に挿通可能で、且つ、上記長孔に下方から挿通された状態で、当該交差角度が所定角度以上となるように当該ノブを鉛直軸周りに回転させることで、上記底部における当該長孔の縁部に係止するように構成されており、
上記突起が上記縦溝に上方から挿入され、且つ、上記長孔に下方から挿通された上記ノブが上記凹部に嵌るように、上記取付部が上記有底円筒部に嵌った状態で、上記アタッチメントを鉛直軸周りに回転させることで、上記突起が上記横溝に挿入され、且つ、上記交差角度が所定角度以上となることを特徴とするフロアマット固定構造。
【発明の詳細な説明】
【技術分野】
【０００１】
本発明は、車両床面を構成するカーペット上に敷設されるフロアマットの固定構造に関するものである。
【背景技術】
【０００２】
車両のフロアパネルにはカーペットが敷かれるとともに、カーペットが汚れるのを抑えるべく、カーペット上にフロアマットが敷かれることが多い。このため、カーペット上に敷設されたフロアマットがずれるのを抑えるべく、従来から様々なフロアマットの固定構造が提案されている。
【０００３】
フロアマットをカーペットに固定するものではないが、例えば特許文献１には、フロアマットにおけるカーペット層とベース層とを、雄グロメットと雌グロメットとで挟着するようしたマット用固定具が開示されている。
【先行技術文献】
【特許文献】
【０００４】
【特許文献１】特開２００２−１９３０１６号公報
【発明の概要】
【発明が解決しようとする課題】
【０００５】
ところで、最近では、カーペットが汚れるのをより一層抑えるべく、カーペット上に敷設されたフロアマット上に、更にフロアマットを重ね敷きしたいとの要望があるが、この場合には、重ね敷きされたフロアマットがずれるのを抑えるべく、上側（２層目）のフロアマットを下側（１層目）のフロアマットまたはカーペットに固定する必要がある。
【０００６】
そこで、上記特許文献１のもののように、上側のフロアマットと下側のフロアマットとを、雄グロメットと雌グロメットとで挟着する固定構造を採用することが考えられる。
【０００７】
しかしながら、かかる固定構造では、例えば上側のフロアマットの清掃や交換を行うために、上側のフロアマットだけを取り外したいときにも、一度全体を取り外して、雄グロメットと雌グロメットとを引き離す必要があり、上側のフロアマットの取り外し作業が煩雑になるという問題がある。
【０００８】
本発明はかかる点に鑑みてなされたものであり、その目的とするところは、フロアマット固定構造において、カーペット上に敷設される複数層のフロアマットを、強固に固定しつつ、フロアマットの脱着を容易にする技術を提供することにある。
【課題を解決するための手段】
【０００９】
前記目的を達成するため、本発明に係るフロアマット固定構造では、既に敷設されているフロアマットのグロメットに対し、アタッチメントを用いて、重ね敷きされるフロアマットのグロメットを着脱自在に後付けするようにしている。
【００１０】
具体的には、本発明は、車両床面を構成するカーペット上に敷設される複数層のフロアマットを固定するフロアマット固定構造を対象としている。
【００１１】
そして、このフロアマット固定構造は、上記カーペットに固定された固定具に対し鉛直軸周りに回転可能に設けられたノブと、長孔が底部に形成された有底円筒部を有し、上記各フロアマットに形成された貫通孔に当該有底円筒部が嵌るように、当該各フロアマットに装着されるグロメットと、上記有底円筒部の内側に嵌合可能な断面円形の外周面を有する取付部と、当該取付部の上部に鉛直軸周りに相対回転可能に設けられた、上記ノブと同形状のノブと、を有するアタッチメントと、を備え、上記有底円筒部の内周面には、軸方向に延びる縦溝と、当該縦溝の下端部から周方向に延びる横溝と、が設けられる一方、上記取付部の外周面には、これら縦溝および横溝に挿入可能な突起が径方向に突設されるとともに、当該取付部の下端部には、上記ノブが嵌合可能な凹部が設けられており、上記ノブは、その長手方向と上記長孔の長手方向との交差角度が所定角度未満のときに上記長孔に挿通可能で、且つ、上記長孔に下方から挿通された状態で、当該交差角度が所定角度以上となるように当該ノブを鉛直軸周りに回転させることで、上記底部における当該長孔の縁部に係止するように構成されており、上記突起が上記縦溝に上方から挿入され、且つ、上記長孔に下方から挿通された上記ノブが上記凹部に嵌るように、上記取付部が上記有底円筒部に嵌った状態で、上記アタッチメントを鉛直軸周りに回転させることで、上記突起が上記横溝に挿入され、且つ、上記交差角度が所定角度以上となることを特徴とするものである。
【００１２】
なお、本発明において、「所定角度未満」とは、例えばノブの長手方向と長孔の長手方向とが略一致（交差角度≒０°）するような角度範囲であり、「所定角度以上」とは、ノブの長手方向と長孔の長手方向とが不一致となるような角度範囲であり、例えば交差角度＝９０°を挙げることができる。
【００１３】
この構成では、フロアマット（仮に第１フロアマットという）上に更にフロアマット（仮に第２フロアマットという）を敷設する場合には、先ず、カーペットに固定された固定具に設けられたノブ（仮に第１ノブという）が、第１フロアマットに装着されたグロメット（仮に第１グロメットという）の長孔に下方から挿通されるように、カーペット上に第１フロアマットを敷設する。
【００１４】
次いで、突起が第１グロメットの縦溝に上方から挿入され、且つ、長孔から突出する第１ノブが凹部に嵌るように、アタッチメントの取付部を第１グロメットの有底円筒部に嵌める。この状態から、アタッチメントを回転させると、凹部に嵌った第１ノブが回転し、第１ノブの長手方向と第１グロメットの長孔との交差角度が所定角度以上となることで、第１フロアマットがカーペット側に固定されるとともに、アタッチメントの突起が第１グロメットの横溝に挿入されることで、アタッチメントが第１グロメットに固定される。ここで、第１ノブを回転させるには積極的な回転トルクの発生が必要になることから、かかる第１ノブが凹部に嵌ったアタッチメントが回転し難くなるので、アタッチメントが第１グロメットに強固に固定される。
【００１５】
そうして、アタッチメントのノブ（仮に第２ノブという）が、第２フロアマットに装着されたグロメット（仮に第２グロメットという）の長孔に下方から挿通されるように、第１フロアマット上に第２フロアマットを敷設する。この状態から、第２ノブの長手方向と第２グロメットの長孔の長手方向との交差角度が所定角度以上となるように直接第２ノブを回転させると、第２ノブが第２グロメットの底部における長孔の縁部に係止する。これにより、第２グロメットがアタッチメントに強固に固定されるので、カーペットに上に敷設された第１および第２フロアマットを容易且つ強固に固定することができる。
【００１６】
また、例えば第２フロアマットの清掃や交換を行う場合には、第２ノブの長手方向と長孔の長手方向との交差角度が所定角度未満となるように直接第２ノブを回転させるだけで、第２ノブと第２グロメットとの係合が解けるので、第２フロアマットだけを容易に取り外すことができる。
【００１７】
ここで、第１ノブと第２ノブとは同形状であり、また、第１グロメットと第２グロメットとは同じ部材である。それ故、本発明によれば、同じタイプのグロメットが装着されたフロアマットであれば、同じアタッチメントを複数用いて同じ取付け手順を繰り返すことで、何層でもフロアマットを重ね敷き（後付け）することが可能となる。より詳しくは、（１）グロメット（フロアマット）設置→（２）アタッチメント設置→（３）アタッチメントの回転、を繰り返した後、最上段のアタッチメントにグロメット（フロアマット）を設置し、最上段のアタッチメントのノブだけを回転させれば、何層でもフロアマットを後付けすることができる。
【００１８】
また、例えば第２フロアマット上に第１フロアマットを敷設する場合も、上記した第１フロアマット上に第２フロアマットを敷設する場合と全く同じ取付け手順であることから、上下のフロアマットを容易に入れ替えることも可能になる。
【発明の効果】
【００１９】
以上説明したように、本発明に係るフロアマット固定構造によれば、カーペット上に敷設される複数層のフロアマットを強固に固定しつつ、フロアマットの脱着を容易にすることができる。
【図面の簡単な説明】
【００２０】
【図１】本発明の実施形態に係るフロアマット固定構造を模式的に示す分解斜視図である。
【図２】フロアマット固定構造が適用されるカーペットおよびフロアマットを模式的に示す斜視図である。
【図３】回転ノブ式クリップを模式的に示す図であり、同図（ａ）は斜視図であり、同図（ｂ）〜（ｄ）は分解斜視図である。
【図４】図４（ａ）は下側クリップの概略平面図であり、同図（ｂ）、（ｃ）、（ｄ）は、それぞれ同図（ａ）のｂ−ｂ線、ｃ−ｃ線、ｄ−ｄ線に対応する回転ノブ式クリップの矢視断面図であり、同図（ｅ）は同図（ｄ）のｅ−ｅ線に対応する弾性保持部および軸部の矢視断面図である。
【図５】固定時における回転ノブ式クリップを模式的に示す図であり、同図（ａ）は斜視図であり、同図（ｂ）は断面図である。
【図６】グロメットを模式的に示す分解斜視図である。
【図７】雄グロメットを模式的に示す図であり、同図（ａ）は平面図であり、同図（ｂ）は側面図である。
【図８】雌グロメットを模式的に示す図であり、同図（ａ）は平面図であり、同図（ｂ）は側面図である。
【図９】フロアマットに装着されたグロメットを模式的に示す断面図である。
【図１０】アタッチメントを模式的に示す分解斜視図である。
【図１１】アタッチメントを模式的に示す、裏側から見た斜視図である。
【図１２】アタッチメントを模式的に示す図であり、同図（ａ）は固定時における斜視図であり、同図（ｂ）および（ｃ）は非固定時における断面図である。
【図１３】フロアマットの取付け手順を模式的に説明する断面図である。
【図１４】フロアマットの取付け手順を模式的に説明する断面図である。
【図１５】フロアマットの取付け手順を模式的に説明する斜視図である。
【図１６】フロアマットの取付け手順を模式的に説明する斜視図である。
【図１７】フロアマット固定構造を模式的に示す図である。
【発明を実施するための形態】
【００２１】
以下、本発明を実施するための形態を図面に基づいて説明する。
【００２２】
−全体構成−
図１は、本実施形態に係るフロアマット固定構造を模式的に示す分解斜視図であり、図２は、フロアマット固定構造が適用されるカーペット１およびフロアマット２，３を模式的に示す斜視図である。このフロアマット固定構造は、図２に示すように、車両床面を構成するカーペット１上に敷設される２層のフロアマット２，３を固定するものである。フロアマット固定構造は、図１に示すように、カーペット１に固定された回転ノブ式クリップ４と、カーペット１上に敷設される第１フロアマット２に装着される第１グロメット５と、第１フロアマット２上に敷設される第２フロアマット３に装着される第２グロメット６と、第１グロメット５と第２グロメット６とを上下に繋ぐアタッチメント７と、を備えている。
【００２３】
−回転ノブ式クリップ−
図３は、回転ノブ式クリップ４を模式的に示す図であり、同図（ａ）は斜視図であり、同図（ｂ）〜（ｄ）は分解斜視図である。また、図４（ａ）は下側クリップ１０の概略平面図であり、同図（ｂ）、（ｃ）、（ｄ）は、同図（ａ）のｂ−ｂ線、ｃ−ｃ線、ｄ−ｄ線にそれぞれ対応する回転ノブ式クリップ４の矢視断面図であり、同図（ｅ）は同図（ｄ）のｅ−ｅ線に対応する弾性保持部１９および軸部３２の矢視断面図である。さらに、図５は、固定時における回転ノブ式クリップ４を模式的に示す図であり、同図（ａ）は斜視図であり、同図（ｂ）は断面図である。この回転ノブ式クリップ４は、例えば樹脂で形成されていて、図３（ａ）に示すように、下側クリップ１０と、上側クリップ２０と、係止部材３０と、を備えている。なお、図３（ｂ）では、上側クリップ２０の上下を反転させた状態を示している。
【００２４】
下側クリップ１０は、図４（ａ）に示すように、丸みを帯びた略矩形の下側フランジ部１１と、図３（ｄ）に示すように、当該下側フランジ部１１の中央部から上方に延びる長方形筒状の内筒部１２と、当該内筒部１２の上端から更に上方に延びる長方形角錐台状の土台部１３と、を有している。なお、長方形筒状の内筒部１２の長手方向と、長方形角錐台状の土台部１３の長手方向とは一致している。
【００２５】
下側フランジ部１１の上面における外周縁部には、上方に突出するスパイク状のピン１４が周方向に沿って複数突設されている。また、下側フランジ部１１の上面には、内筒部１２の４つの外側面とそれぞれ対向するように、上方に延びる４つの下側竪壁部１５が突設されている。さらに、下側フランジ部１１における内筒部１２の周りには、当該内筒部１２を囲むように複数の開口部１６が形成されている（図４（ａ）参照）。
【００２６】
長方形筒状の内筒部１２の４つの外側面には、図４（ｂ）および（ｄ）に示すように、断面直角三角形状の係止爪１７がそれぞれ形成されている。また、長方形角錐台状の土台部１３には、図３（ｄ）に示すように、上下に延びる貫通孔１８が形成されている。この貫通孔１８内には、図４（ｄ）および（ｅ）に示す如く、土台部１３の長手直角方向に対向するように、一対の弾性保持部１９が土台部１３の長手方向に沿って設けられている。一対の弾性保持部１９は、下方に行くほど互いに近づくように傾斜して延びるように形成されていて、弾性変形可能となっている。なお、これら弾性保持部１９には、後述する軸部３２および凸部３６が嵌る凹部１９ａが形成されている。
【００２７】
上側クリップ２０は、図３（ｂ）に示すように、円盤状の上側フランジ部２１を有している。上側フランジ部２１の下面における外周縁部には、下方に突出するスパイク状のピン２２が周方向に沿って複数突設されている。また、上側フランジ部２１の中央部には、土台部１３が嵌る長方形状の開口部２３が形成されている。さらに、上側フランジ部２１には、長方形状の開口部２３の４つの側縁部から下方に延びる４つの上側縦壁部２４が突設されている。これら上側縦壁部２４の内側面における先端部（下端部）には、断面逆直角三角形状の係止爪２５がそれぞれ形成されている。また、上側フランジ部２１には、長方形状の開口部２３の４つのコーナー部から下方に延びる４つの縦壁部２６が突設されている。これら縦壁部２６の先端部（下端部）は、二股に分かれている。
【００２８】
係止部材３０は、一方向に延びる長尺形状をなす回転ノブ３１と、当該回転ノブ３１から下方に延びる軸部３２と、を有している。回転ノブ３１には、フロアマットを敷設する運転者等が当該回転ノブ３１を摘まみ易いように、窪み３３が形成されている。軸部３２は、全体的には円柱状に形成されている。図４（ｂ）に示すように、軸部３２の上端部には、土台部１３の貫通孔１８内でガタツキなく回転するように、円盤状の嵌合部３４が形成されている。一方、軸部３２の下端部には、回転ノブ３１の長手方向と同じ方向に延びる略四角柱状のアンカー部３５が設けられている。さらに、軸部３２における嵌合部３４とアンカー部３５との間には、当該軸部３２の外周面から、回転ノブ３１の長手方向両側に突出する凸部、および、回転ノブ３１の長手直角方向両側に突出する凸部からなる４つの凸部３６が形成されている。換言すると、４つの凸部３６は軸部３２の外周面に沿って９０°おきに設けられている（図４（ｅ）参照）。
【００２９】
以上のように構成された回転ノブ式クリップ４をカーペット１に固定する場合には、先ず、内筒部１２の長手方向と回転ノブ３１の長手方向とが略一致するように、土台部１３に形成された貫通孔１８に、係止部材３０の軸部３２を挿入する。この際、軸部３２は、先に挿入されるアンカー部３５が一対の弾性保持部１９を押し広げながら挿入される。円盤状の嵌合部３４が土台部１３の貫通孔１８に嵌ると、長手直角方向両側に突出する凸部３６および軸部３２が、一対の弾性保持部１９の凹部１９ａに嵌る（図４（ｅ）参照）とともに、一対の弾性保持部１９の下端における両端部が、アンカー部３５の上面に当接する（図４（ｃ）参照）。このように、一対の弾性保持部１９の下端がアンカー部３５の上面に当接することで、係止部材３０は下側クリップ１０から容易に抜けないようになっている。
【００３０】
次いで、カーペット１に形成された略矩形状の貫通孔１ａに、下方から回転ノブ３１、土台部１３および内筒部１２を挿入した後、図４（ｂ）〜（ｄ）に示す如く、内筒部１２の４つの外側面と４つの下側竪壁部１５との間に、４つの上側縦壁部２４が嵌り、且つ、回転ノブ３１および土台部１３が開口部２３に嵌るように、係止部材３０および下側クリップ１０に上側クリップ２０を被せる。上側縦壁部２４および二股に分かれた縦壁部２６の下端部（先端部）が、下側フランジ部１１の複数の開口部１６に挿入されるように、上側クリップ２０を押し込むと、内筒部１２の４つの外側面に形成された係止爪１７の段差面と、４つの上側縦壁部２４の内側面に形成された係止爪２５の段差面とが係合する。このとき、下側フランジ部１１に突設されたスパイク状のピン１４がカーペット１の下面に食い込むとともに、上側フランジ部２１に突設されたスパイク状のピン２２がカーペット１の上面に食い込む。このように、係止爪１７と係止爪２５とが係合することと、ピン１４，２２がカーペット１に食い込むこととが相俟って、回転ノブ式クリップ４がカーペット１に強固に固定される。
【００３１】
図５は、固定時における回転ノブ式クリップ４を模式的に示す図であり、同図（ａ）は斜視図であり、同図（ｂ）は断面図である。図５（ａ）に示すように、回転ノブ３１は、例えばフロアマットを敷設する運転者等が当該回転ノブ３１をひねることで、９０°ずつ回転するようになっている。より詳しくは、図４（ｅ）に示す構造において、回転ノブ３１を鉛直軸周りに回転させると、軸部３２の凸部３６が一対の弾性保持部１９を押し広げるように弾性変形させながら凹部１９ａから抜け、且つ、抜けた凸部３６の隣の凸部３６が凹部１９ａに嵌って、押し広げられた一対の弾性保持部１９が弾性復帰することで、クリック感を伴って、回転ノブ３１が９０°ずつ回転するようになっている。また、このような構造により、回転ノブ３１は意図的に回転させる場合以外は、回転し難くなっている。
【００３２】
図５（ａ）に示すように、回転ノブ３１の長手方向と土台部１３の長手方向とが直交するように、回転ノブ３１を回転させると、図５（ｂ）に示すように、内筒部１２の内側で回転したアンカー部３５の上面に、一対の弾性保持部１９の下端がしっかりと当接することで、係止部材３０は下側クリップ１０からより一層容易に抜け難くなる。なお、請求項との関係では、下側クリップ１０および上側クリップ２０が「カーペットに固定された固定具」に相当し、回転ノブ３１が「固定具に対し鉛直軸周りに回転可能に設けられたノブ」に相当する。
【００３３】
−グロメット−
次に、第１グロメット５および第２グロメット６について説明するが、第１グロメット５と第２グロメット６とは全く同じ構造ゆえ、両者を区別せず説明する。
【００３４】
図６は、グロメット５，６を模式的に示す分解斜視図であり、図９は、フロアマット２，３に装着されたグロメット５，６を模式的に示す断面図である。グロメット５，６は、例えば樹脂で形成されていて、図６および図９に示すように、雄グロメット４０と、雌グロメット５０と、を備えている。
【００３５】
図７は、雄グロメット４０を模式的に示す図であり、同図（ａ）は平面図であり、同図（ｂ）は側面図である。雄グロメット４０は、図７に示すように、内筒部４１と、内筒部４１の下端部を覆う円盤状の底部４２と、内筒部４１の上端部から鍔のように筒径方向に延びる円環状の上側フランジ部４３と、を有していて、略ハット状に形成されている。なお、請求項との関係では、内筒部４１および底部４２が「有底円筒部」に相当する。
【００３６】
内筒部４１の外周面には、図７（ｂ）に示すように、複数段の係止溝４４が周方向に間欠的に設けられている。一方、内筒部４１の内周面には、図６および図７（ａ）に示すように、直径方向に対向する位置で、内筒部４１の上端部から各々下方（筒軸方向）に延びる一対の縦溝４５が形成されているとともに、縦溝４５の下端部から周方向に延びる横溝４６が形成されている。より詳しくは、横溝４６は、図７（ａ）に示すように、縦溝４５の下端部から、周方向へ平面視時計回りにほぼ９０°の範囲で延びている。
【００３７】
底部４２には、図７（ａ）に示すように、一対の縦溝４５が対向する方向に延びる長孔４７が形成されている。この長孔４７と上記回転ノブ３１とは、回転ノブ３１の長手方向と長孔４７の長手方向との交差角度が所定角度未満のときに、回転ノブ３１を長孔４７に下方から挿通可能で、且つ、回転ノブ３１が長孔４７に下方から挿通された状態で、回転ノブ３１の長手方向と長孔４７の長手方向との交差角度が所定角度以上となるように回転ノブ３１を鉛直軸周りに回転させることで、底部４２における長孔４７の縁部に回転ノブ３１が係止するような寸法関係に構成されている。なお、「所定角度未満」とは、例えば回転ノブ３１の長手方向と長孔４７の長手方向とが略一致（交差角度≒０°）するような角度範囲であり、「所定角度以上」とは、回転ノブ３１の長手方向と長孔４７の長手方向とが不一致となるような角度範囲であり、例えば交差角度＝９０°を挙げることができる。
【００３８】
上側フランジ部４３の下面における外周縁には、下方に突出するスパイク状のピン４８が周方向に沿って複数突設されている。一方、上側フランジ部４３の上面における内周縁部には、長孔４７の延びる方向と直交する位置に、固定時における回転ノブ３１の延びる方向を示す一対のマーク４９が設けられている。
【００３９】
図８は、雌グロメット５０を模式的に示す図であり、同図（ａ）は平面図であり、同図（ｂ）は側面図である。雌グロメット５０は、図８に示すように、内側に内筒部４１が嵌る外筒部５１と、外筒部５１の下端部から鍔のように筒径方向に延びる円環状の下側フランジ部５２と、を有している。
【００４０】
外筒部５１には、筒径方向内側に突出する係止爪５３が内周面に沿って等間隔に４つ設けられている。下側フランジ部５２の外周端部５４は上方に屈曲していて、上方に突出するスパイク状のピン５５が周方向に沿って複数突設されている。
【００４１】
以上のように構成されたグロメット５，６をフロアマット２，３に装着する場合には、先ず、フロアマット２，３に形成された円形の貫通孔２ａ，３ａに、上方から雄グロメット４０の内筒部４１を挿入する。次いで、図９に示す如く、外筒部５１の内側に内筒部４１が嵌るように、雌グロメット５０の外筒部５１を貫通孔２ａ，３ａに下方から挿入する。そうして、フロアマット２，３を挟むように雄グロメット４０と雌グロメット５０とを互いに押し付けると、内筒部４１の外周面に設けられた係止溝４４と、外筒部５１に設けられた係止爪５３とが係合する。このとき、上側フランジ部４３に突設されたスパイク状のピン４８がフロアマット２，３の上面に食い込むとともに、下側フランジ部５２に突設されたスパイク状のピン５５がフロアマット２，３の下面に食い込む。このように、係止溝４４と係止爪５３とが係合することと、ピン４８，５５がフロアマット２，３に食い込むこととが相俟って、内筒部４１および外筒部５１が貫通孔２ａ，３ａに嵌った状態で、グロメット５，６がフロアマット２，３に強固に固定（装着）される。
【００４２】
−アタッチメント−
図１０は、アタッチメント７を模式的に示す分解斜視図であり、図１１は、アタッチメント７を裏側から見た斜視図であり、図１２は、アタッチメント７を模式的に示す図であり、同図（ａ）は固定時における斜視図であり、同図（ｂ）および（ｃ）は非固定時における断面図である。アタッチメント７は、例えば樹脂で形成されていて、図１０に示すように、アタッチメント本体部７０と、係止部材８０と、を備えている。
【００４３】
アタッチメント本体部７０は、雄グロメット４０の内筒部４１の内側に嵌合可能な円筒状の取付部７１と、取付部７１の上端部から鍔のように筒径方向に延びる円環状のフランジ部７２と、フランジ部７２の上側に設けられた長方形角錐台状の土台部７３と、を有している。なお、請求項との関係では、取付部７１が「有底円筒部の内側に嵌合可能な断面円形の外周面を有する取付部」に相当する。
【００４４】
取付部７１の外周面は断面円形に形成されている一方、取付部７１の内空部７４は、上記回転ノブ式クリップ４の回転ノブ３１が嵌るような形状に形成されている。より詳しくは、図１１に示すように、取付部７１の内空部７４は、下端の開口部７５が雄グロメット４０の長孔４７と同様の形状に形成されている一方、図１２（ｂ）および（ｃ）に示すように、上方に行くほど窄んで、取付部７１の内周面が回転ノブ３１を包むような形状に形成されている。また、取付部７１の内周面には、開口部７５の長手直角方向に対向する膨出部７６が設けられていて、かかる膨出部７６が回転ノブ３１の窪み３３に嵌るようになっている。なお、請求項との関係では、内空部７４が「ノブが嵌合可能な凹部」に相当する。
【００４５】
取付部７１の外周面には、径方向外側に突出する２つの円柱状の突起７７が、開口部７５の長手方向に対応する位置に突設されている。これら２つの突起７７は、雄グロメット４０の縦溝４５および横溝４６に挿入可能な直径および突出長を有している。
【００４６】
土台部７３は、回転ノブ式クリップ４の土台部１３と全く同様に構成されていて、上下に延びる貫通孔７８が形成されている。土台部７３は、開口部７５の長手方向と、長方形角錐台状の土台部７３の長手方向とが直交するように形成されている。図１２（ｂ）に示すように、貫通孔７８内には土台部７３の長手直角方向に対向する一対の弾性保持部７９が設けられている。一対の弾性保持部７９は、上記弾性保持部１９と全く同様に構成されていて、下方に行くほど互いに近づくように傾斜して延びているとともに、これら弾性保持部７９には、後述する軸部８２および凸部８６が嵌る凹部が形成されている。
【００４７】
係止部材８０は、回転ノブ式クリップ４の係止部材３０と全く同様に構成されていて、回転ノブ３１と同形状の回転ノブ８１と、軸部８２と、を有している。回転ノブ８１には窪み８３が形成されている。軸部８２の上端部には円盤状の嵌合部８４が形成されている（図１２（ｂ）参照）一方、軸部８２の下端部にはアンカー部８５が設けられている。さらに、軸部８２における嵌合部８４とアンカー部８５との間には、４つの凸部８６が軸部８２の外周面に沿って９０°おきに設けられている。
【００４８】
このように、土台部７３が回転ノブ式クリップ４の土台部１３と全く同様に構成され、且つ、係止部材８０が係止部材３０と全く同様に構成されていることから、図１２（ａ）に示すように、回転ノブ８１の長手方向と土台部７３の長手方向とが直交するように、回転ノブ８１を回転させることが可能になっている。
【００４９】
より詳しくは、土台部７３に形成された貫通孔７８に、係止部材８０の軸部８２を挿入すると、一対の弾性保持部７９の下端が、アンカー部８５の上面に当接することで、係止部材８０がアタッチメント本体部７０から容易に抜けないようになっている。また、回転ノブ８１を鉛直軸周りに回転させると、上記図４（ｅ）に示した構造と同様の構造により、軸部８２の凸部８６が一対の弾性保持部７９を押し広げるように弾性変形させながら凹部から抜け、且つ、抜けた凸部８６の隣の凸部８６が凹部に嵌って、押し広げられた一対の弾性保持部７９が弾性復帰することで、クリック感を伴って、回転ノブ８１が９０°ずつ回転するようになっている。なお、請求項との関係では、回転ノブ８１が「本体部の上部に鉛直軸周りに相対回転可能に設けられた、上記ノブと同形状のノブ」に相当する。
【００５０】
−フロアマットの取付け手順−
図１３および図１４は、フロアマット２，３の取付け手順を模式的に説明する断面図であり、図１５および図１６は、フロアマット２，３の取付け手順を模式的に説明する斜視図である。以上のように構成された回転ノブ式クリップ４、第１および第２グロメット５，６並びにアタッチメント７を用いた、フロアマット２，３の取付け手順について図１３〜図１６を参照しながら説明する。
【００５１】
先ず、回転ノブ式クリップ４を、図１３（ａ）に示すように、回転ノブ３１の長手方向と、長方形角錐台状の土台部１３の長手方向とが略一致した状態とする。そうして、図１５（ａ）に示すように、回転ノブ３１の長手方向と、第１フロアマット２に装着された第１グロメット５の長孔４７の長手方向とを略一致させて、回転ノブ３１が長孔４７に下方から挿通されるように、カーペット１上に第１フロアマット２を敷設する。これにより、図１３（ｂ）に示すように、第１グロメット５の雌グロメット５０が上側フランジ部２１に載り、且つ、土台部１３が長孔４７に嵌るとともに、回転ノブ３１が長孔４７から上方に突出した状態となる。なお、何れの車両においても、土台部１３の長手方向が車幅方向（または車両前後方向）となるように、回転ノブ式クリップ４をカーペット１に固定することを規格化とともに、何れのフロアマット２，３においても、長孔４７の長手方向が車幅方向（または車両前後方向）となるようにグロメット５，６を装着することを規格化すれば、回転ノブ３１の長手方向と長孔４７の長手方向とを略一致させる作業を省略することができる。
【００５２】
次いで、図１５（ｂ）に示すように、アタッチメント７の突起７７が第１グロメット５の縦溝４５に上方から挿入され、且つ、長孔４７から突出する回転ノブ３１がアタッチメント７の内空部７４に嵌るように、アタッチメント７の取付部７１を第１グロメット５の内筒部４１に嵌める。なお、上述の如く、長孔４７は一対の縦溝４５が対向する方向に延びており、且つ、突起７７は開口部７５の長手方向に対応する位置に突設されていることから、突起７７を縦溝４５に挿入すれば、回転ノブ３１が自然に開口部７５および内空部７４に嵌るようになっている。これにより、図１３（ｃ）に示すように、アタッチメント７の取付部７１が第１グロメット５の内筒部４１に嵌るとともに、アタッチメント７の膨出部７６が回転ノブ３１の窪み３３に嵌って、図１５（ｃ）に示すような状態となる。
【００５３】
図１５（ｃ）の状態から、例えば回転ノブ８１および土台部７３を一緒に摘まんで捻ることで、図１６に示すように、第１グロメット５に対してアタッチメント７を９０°相対回転させると、内空部７４に嵌った回転ノブ３１が９０°回転するとともに、図１４（ａ）に示すように、突起７７が横溝４６に挿入される。このように、アタッチメント７の突起７７が第１グロメット５の横溝４６に挿入されることで、アタッチメント７が第１グロメット５に固定されるとともに、内空部７４に嵌った回転ノブ３１が回転することによって、回転ノブ３１の長手方向と第１グロメット５の長孔４７の長手方向とが直交し（交差角度が所定角度以上となり）、第１グロメット５の底部４２における長孔４７の縁部に回転ノブ３１が係止することで、第１グロメット５が回転ノブ式クリップ４に固定される。図１６と図１５（ａ）とを見比べれば分かるように、この状態では、アタッチメント７の回転ノブ８１および土台部７３の状態が、第１フロアマット２を敷設する前の、回転ノブ式クリップ４の回転ノブ３１および土台部１３の状態と全く同じになる。
【００５４】
ここで、回転ノブ３１を回転させるには、一対の弾性保持部１９を押し広げるように弾性変形させなければならないため、積極的な回転トルクの発生が必要になる。それ故、かかる回転ノブ３１が内空部７４に嵌ったアタッチメント７が回転し難くなるので、第１グロメット５に対してアタッチメント７を一旦９０°相対回転させると、アタッチメント７が第１グロメット５に強固に固定されるようになっている。
【００５５】
次いで、カーペット１上に第１フロアマット２を敷設したのと全く同様に、アタッチメント７の回転ノブ８１が、第２フロアマット３に装着された第２グロメット６の長孔４７に下方から挿通されるように、第１フロアマット２上に第２フロアマット３を敷設する。これにより、図１４（ｂ）に示すように、第２グロメット６の雌グロメット５０がアタッチメント７のフランジ部７２に載り、且つ、土台部７３が第２グロメット６の長孔４７に嵌るとともに、回転ノブ８１が第２グロメット６の長孔４７から上方に突出した状態となる。
【００５６】
この状態から、回転ノブ８１の長手方向と第２グロメット６の長孔４７の長手方向とが直交するように、回転ノブ８１だけを９０°回転させると、図１４（ｃ）に示すように、回転ノブ８１が第２グロメット６の底部４２における長孔４７の縁部に係止する。これにより、第２グロメット６がアタッチメント７に強固に固定されるので、カーペット１上に敷設された第１および第２フロアマット２，３を容易且つ強固に固定することができる。
【００５７】
しかも、例えば第２フロアマット３の清掃や交換を行う場合には、回転ノブ８１の長手方向と長孔４７の長手方向とが略一致するように回転ノブ８１を回転させるだけで、アタッチメント７と第２グロメット６との係合が解けるので、第２フロアマット３だけを容易に取り外すことができる。
【００５８】
さらに、本実施形態の利点はこれだけにとどまらない。すなわち、回転ノブ３１と回転ノブ８１とは同形状であり、また、第１グロメット５と第２グロメット６とは同じ部材であることから、同じタイプのグロメット５，６が装着されたフロアマットであれば、同じアタッチメント７を複数用いて同じ取付け手順を繰り返すことで、図１７に示すように、何層でもフロアマットを重ね敷き（後付け）することが可能となる。より詳しくは、図１６に示す回転ノブ８１および土台部７３の状態が、図１５（ａ）に示す、第１フロアマット２を敷設する前の回転ノブ３１および土台部１３の状態と全く同じになることから、（１）グロメット５（フロアマット２）設置→（２）アタッチメント７設置→（３）アタッチメント７の回転、を繰り返した後、最上段のアタッチメント７にグロメット６（フロアマット３）を設置し、最上段のアタッチメント７の回転ノブ８１だけを回転させれば、何層でもフロアマット２，３を後付けすることができる。
【００５９】
また、例えば第２フロアマット３上に第１フロアマット２を敷設する場合も、上記した第１フロアマット２上に第２フロアマット３を敷設する場合と全く同じ取付け手順であることから、上下のフロアマット２，３を容易に入れ替えることも可能になる。
【００６０】
さらに、第１および第２フロアマット２，３と異なる第３フロアマット（図示せず）を敷設する場合にも、同じタイプのグロメット５，６が装着されてさえいれば、アタッチメント７等に改良を加えることなく、第１フロアマット２と第３フロアマット、または、第２フロアマット３と第３フロアマットといった具合に、フロアマットを自由に且つ容易に組み合わせることが可能となる。
【００６１】
（その他の実施形態）
本発明は、実施形態に限定されず、その精神又は主要な特徴から逸脱することなく他の色々な形で実施することができる。
【００６２】
上記実施形態では、取付部７１を円筒状に形成したが、断面円形の外周面を有しているのであれば、これに限らず、取付部７１を円柱状に形成してもよい。
【００６３】
このように、上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００６４】
本発明によると、カーペット上に敷設される複数層のフロアマットを強固に固定しつつ、フロアマットの脱着を容易にすることができるので、フロアマット固定構造に適用して極めて有益である。
【符号の説明】
【００６５】
１        カーペット
２        第１フロアマット
２ａ      貫通孔
３        第２フロアマット
３ａ      貫通孔
４        回転ノブ式クリップ（固定具）
５        第１グロメット
６        第２グロメット
７        アタッチメント
３１      回転ノブ
４１      内筒部（有底円筒部）
４２      底部（有底円筒部）
４５      縦溝
４６      横溝
４７      長孔
７１      取付部
７４      内空部（凹部）
７７      突起
８１      回転ノブ
【図１】
2019026230.tif 000003
【図２】
2019026230.tif 000004
【図３】
2019026230.tif 000005
【図４】
2019026230.tif 000006
【図５】
2019026230.tif 000007
【図６】
2019026230.tif 000008
【図７】
2019026230.tif 000009
【図８】
2019026230.tif 000010
【図９】
2019026230.tif 000011
【図１０】
2019026230.tif 000012
【図１１】
2019026230.tif 000013
【図１２】
2019026230.tif 000014
【図１３】
2019026230.tif 000015
【図１４】
2019026230.tif 000016
【図１５】
2019026230.tif 000017
【図１６】
2019026230.tif 000018
【図１７】
2019026230.tif 000019